(57)【要約】【課題】前照灯を点灯している停止車両が存在する場合においても、右折車両や左折車両から横断歩道上の横断者の体の向きや挙動が判るように照明して交通事故を防止することができる照明システムを提供することにある。【解決手段】照明器具１はランプ４の直接光及び反射板２で反射されたランプ４の光で、交差点Ｘの中央から横断歩道Ｈを見た横断歩道Ｈ上の鉛直面照度が、交差点Ｘの中央から見て当該横断歩道の向かって右側より左側の方を高くなるような配光により路面を照射するようになっている。これにより前照灯を点灯した車両が横断歩道Ｈの近傍の停止線Ｌ前に停止していても、照明器具１により歩行者Ｍが明るく照明され、横断歩道Ｈ上の歩行者Ｍの体の向きや挙動を交差点Ｘで右折又は左折しようとする運転者から容易に視認することができることになる。【選択図】図１
2006190624.tif 000002
【特許請求の範囲】
【請求項１】
道路の交差点の隅部に照明器具を配置し、交差する道路の少なくとも一つにおいて当該道路を横断するように設けた横断歩道を前記交差点の中央から見たときに当該横断歩道の鉛直面照度が、当該横断歩道の向かって左側より右側が高くなるように前記照明器具により照明させる機能部を備えていることを特徴とする照明システム。
【請求項２】
前記照明器具を二つの道路が十字状に交差する交差点の各隅部に配置したものであって、前記横断歩道が交差点の左右両側位置で設けられ、前記機能部は、これら４つの横断歩道の全てについて交差点の中央から見たときに夫々の横断歩道の鉛直面照度が、各横断歩道に向かって左側より右側が高くなるように前記照明器具により照明させることを特徴とする請求項１記載の照明システム。
【請求項３】
前記交差点中央から見て横断歩道の向かって左側と右側における当該横断歩道の前記鉛直面照度の比率を略１：１．１以上としたことを特徴とする請求項１又は２記載の照明システム。
【請求項４】
前記横断歩道が設けられた道路が少なくとも対向２車線であって、前記機能部は横断歩道近傍に設けた一の方向の車線に対応する車両の停止線上から当該横断歩道側を見たときに前記停止線上の鉛直面照度と、当該停止線を隣接する他の方向の車線上に延長した延長線上から前記横断歩道を見たときの該横断歩道の鉛直面照度とが略等しくなるように前記照明器具により照明させることを特徴とする請求項１又は２記載の照明システム。
【請求項５】
前記横断歩道上及び当該横断歩道近傍の道路上の歩行者や自転車搭乗者のような横断者の存否を検知する人体検知手段を備え、前記機能部は前記人体検知手段が横断者の存在を検知している場合に当該横断歩道を前記交差点の中央から見たときに当該横断歩道の鉛直面照度が当該横断歩道の向かって左側より右側が高くなるように前記照明器具により照明させ、前記横断者の存在を検知していない場合に、当該横断歩道の左右両側の前記鉛直面照度を略等しくなるように前記照明器具により照明させることを特徴とする請求項１又は２照明システム。
【請求項６】
前記横断歩道に対応して設けられた車両の停止線近傍に停止中の車両の前照灯の点灯状態を検知する点灯検知手段を備え、前記機能部は前記点灯検知手段が前記前照灯の点灯状態を検知している場合に当該横断歩道を前記交差点の中央から見たときに当該横断歩道の鉛直面照度が当該横断歩道の向かって左側より右側が高くなるように前記照明器具により照明させ、前記前照灯の点灯状態を検知していない場合に、当該横断歩道の左右両側の前記鉛直面照度を略等しくなるように前記照明器具により照明させることを特徴とする請求項１又は２照明システム。
【発明の詳細な説明】
【技術分野】
【０００１】
本発明は、公道のような道路や駐車場内の道路等における交差点の隅部に照明器具を設け、歩行者や自転車搭乗者のような横断者が横断歩道若しくはその近傍を横断するような空間において、車両内の運転者に横断者の存在を照明により知らせる照明システムに関するものである。
【背景技術】
【０００２】
道路の交差点のように歩行者（或いは自転車搭乗者）と車両（自動車）が路上に同時に存在する可能性のある空間では、人対車両の交通事故の可能性が他の道路空間に比べて著しく高い。そこでそのような空間には信号機などが設置され、歩行者と車両の移動方向が交差しないように制御している。
【０００３】
しかしながら、交差点に設置されている一般的な信号機では、直進車両と歩行者の移動方向が交差することはないが、一方で右折車両や左折車両と歩行者とは路上で交差する状況となり、交通事故の発生の原因となっている。これは右折や左折の運転行動をとっているときは直進時に比べて運転作業が複雑で、且つ視線の移動範囲も広くなるため、運転者が横断歩道上の歩行者を視認する時間が短く、視認できないことや視認できても歩行者の挙動を誤認することに起因する。
【０００４】
そこで、横断歩道上の歩行者の存在や挙動を判り易くするために、各種の照明システム（設備）が従来提供されている。
【０００５】
その一つとして道路上に光を照射することで、路面やその周囲を明るくさせて横断者を視認させる道路照明器具設備が従来提供されている（例えば特許文献１）。
【０００６】
また、横断歩道の略情報に光源と人感センサを設置し、横断歩道を歩行する歩行者を感知したときに横断歩道上に光を照射させるシステムも提供されている（例えば特許文献２）。この特許文献２に開示されている事例では対象物である歩行者に直接光源の光を照射することで歩行者が背景より明るく見える（逆シルエット視）ようにすることことで、歩行者の体の向きや挙動が判り易くしている。また歩行者の検知時のみ光源を点灯させるため、常時点灯の照明設備に比べて省エネルギを実現している。
【０００７】
一方、車両前方から自車の進行方向に光を照射することで、運転者の前方の視認性を確保する設備が提供されている（例えば、特許文献３）。
【０００８】
この設備は対象物である歩行者を直接照らす逆シルエット視で対象物を視認させるため、歩行者の体の向きや挙動が判り易い。
【特許文献１】特開２００１−３５１４０５号公報（図１、段落番号０００８）
【特許文献２】特開平９−２１９１０７号公報（図１，段落番号００１６，段落番号００１７）
【特許文献３】特開２００３−７２４５８号公報（段落番号００４９〜００５２）
【発明の開示】
【発明が解決しようとする課題】
【０００９】
しかし特許文献１に開示されている道路照明器具設備による照明は、対象物の背景を明るく照らして対象物を暗く見せて視認させるため、照明器具１を例えば図８（ａ）に示すように例えば十字状に二つの道路が交差する交差点Ｘにおいて、交差点Ｘ近傍で道路を横断するように設けた横断歩道Ｈの近傍で並行する形で設けるような場合（一般的な設置場所）には、対象物である歩行者（横断しようとする自転車搭乗者を含む）Ｍがシルエットになり、車両（自動車）内の運転者の目Ｅから見て歩行者Ｍの体の向きや挙動が判りにくいという課題がある。尚図中Ａは各照明器具１の照射範囲を示す。
【００１０】
そこで、図８（ｂ）に示すように近年、交差点Ｘの４つの隅部に照明器具１を設置して、横断歩道上の対象物である歩行者Ｍを直接照射することで、車両内の運転者の目Ｅから見て歩行者Ｍの体の向きや挙動を判り易くさせる事例が提案されている。しかしこの図示例でも歩行者Ｍの側方から前照灯を照射する車両が存在している場合、交差点側の運転者から見て歩行者Ｍがシルエットになってしまい、歩行者Ｍの体の向きや挙動が判りにくくなってしまうという課題がある。
【００１１】
また特許文献２に開示されている事例では、横断歩道を横断している歩行者の側方から前照灯を照射する車両が存在している場合、交差点Ｘ側の運転者から見て歩行者がシルエットになってしまい、歩行者の体の向きや挙動が判りにくくなってしまうという課題がある。
【００１２】
更に特許文献３に開示されている事例では、非常に限られた狭い範囲を照射するため、道路構造や車両前方以外の歩行者が非常に判りにくいという課題がある。また運転者の視線方向に別車両の前照灯があると運転者は眩しさを感じて不快感や視認性の低下を発生させる課題もある。
【００１３】
上述の歩行者がシルエットに見える場合の事例を図９により詳説する。
【００１４】
つまり図９（ａ）に示すように手前で車両Ｃ１が停止している横断歩道Ｈを横断する歩行者Ｍの見え方を考えると、停車車両Ｃ１が前照灯を点灯している場合、交差点Ｘ内から停止車両Ｃ１の対向車線側に侵入してくる右折車両Ｃ２・左折車両Ｃ３にとっては、停止車両Ｃ１の前照灯による照明ＬＸによって歩行者Ｍが側方から図９（ｂ）に示すように照射されるためシルエットになり、歩行者Ｍの体の向きや挙動が判りにくくなるのである。
【００１５】
従って、横断歩道Ｈに侵入しようとした右折車両Ｃ２や左折車両Ｃ３の近傍に存在した歩行者Ｍの挙動を誤認（例えば、逆方向に歩いている等）して、横断歩道Ｈに侵入する運転行動をとり、例えば図１０（ａ）に示すように右折する車両Ｃ２が図１０（ｂ）に示すように横断歩道Ｈに到達したときに、歩行者Ｍも同位置に到達して交通事故を起こす可能性がある。
【００１６】
本発明は上述の点に鑑みて為されたもので、その目的とするところは、前照灯を点灯している停止車両が存在する場合においても、右折車両や左折車両から横断歩道上の横断者の体の向きや挙動が判るように照明することができる照明システムを提供することにある。
【課題を解決するための手段】
【００１７】
上述の目的を達成するために、請求項１の発明では、道路の交差点の隅部に照明器具を配置し、交差する道路の少なくとも一つにおいて当該道路を横断するように設けた横断歩道を前記交差点の中央から見たときに当該横断歩道の鉛直面照度が、前記交差点の中央から当該横断歩道に向かって左側より右側が高くなるように前記照明器具により照明させる機能部を備えていることを特徴とする。
【００１８】
請求項１の発明によれば、前照灯を点灯している停止車両が存在する場合においても、横断歩道に侵入しようとする左折車両や右折車両から横断歩道上の歩行者や自転車搭乗者のような横断者の体の向きや挙動を把握することができ、左折車両や右折車両と横断者との交通事故の発生を防止する効果がある。
【００１９】
請求項２の発明では、請求項１の発明において、前記照明器具を二つの道路が十字状に交差する交差点の各隅部に配置したものであって、前記横断歩道が交差点の左右両側位置で設けられ、前記機能部は、これら４つの横断歩道の全てについて交差点の中央から見たときに夫々の横断歩道の鉛直面照度が、各横断歩道に向かって左側より右側が高くなるように前記照明器具により照明させることを特徴とする。
【００２０】
請求項２の発明によれば、前照灯を点灯している停止車両が存在する場合においても、横断歩道に侵入しようとする左折車両や右折車両から横断歩道上の歩行者や自転車搭乗者のような横断者の体の向きや挙動を把握することができ、左折車両や右折車両と横断者との交通事故の発生を防止する効果を４つの横断歩道に対して発揮できる。
【００２１】
請求項３の発明では、請求項１又は２の発明において、前記交差点中央から見て横断歩道の向かって左側と右側における当該横断歩道の前記鉛直面照度の比率を略１：１．１以上としたことを特徴とする。
【００２２】
請求項３の発明によれば、横断歩道に対する照明レベルを必要最小限に最適化して、横断歩道上の歩行者や自転車搭乗者のような横断者の見え方を確保するために余計な光量がいらなくなるため、省エネを図りつつ横断者の視認性を向上させることができる。
【００２３】
請求項４の発明では、請求項１又は２の発明において、前記横断歩道が設けられた道路が少なくとも対向２車線であって、前記機能部は横断歩道近傍に設けた一の方向の車線に対応する車両の停止線上から当該横断歩道側を見たときに前記停止線上の鉛直面照度と、当該停止線を隣接する他の方向の車線上に延長した延長線上から前記横断歩道を見たときの該横断歩道の鉛直面照度とが略等しくなるように前記照明器具により照明させることを特徴とする。
【００２４】
請求項４の発明によれば、停止車両側の鉛直面照度を制限することで、交差点内の右折車両や左折車両からの横断者の見え方を低下させることなく、停止車両の運転者の眩しさを低減することができ、運転者の快適性が向上する。
【００２５】
請求項５の発明では、請求項１又は２の発明において、前記横断歩道上及び当該横断歩道近傍の道路上の歩行者や自転車搭乗者のような横断者の存否を検知する人体検知手段を備え、前記機能部は前記人体検知手段が横断者の存在を検知している場合に当該横断歩道を前記交差点の中央から見たときに当該横断歩道の鉛直面照度が当該横断歩道の向かって左側より右側が高くなるように前記照明器具により照明させ、前記横断者の存在を検知していない場合に、当該横断歩道の左右両側の前記鉛直面照度を略等しくなるように前記照明器具により照明させることを特徴とする。
【００２６】
請求項５の発明によれば、横断者が横断歩道或いはそのその近傍に存在する場合に、走行車両の運転者に横断者の存在を照明の変化から推測させて横断者に対する注意レベルを向上させることが期待でき、その上横断者が存在しないときの省エネが図れる。
【００２７】
請求項６の発明では、請求項１又は２の発明において、前記横断歩道に対応して設けられた車両の停止線近傍に停止中の車両の前照灯の点灯状態を検知する点灯検知手段を備え、前記機能部は前記点灯検知手段が前記前照灯の点灯状態を検知している場合に当該横断歩道を前記交差点の中央から見たときに当該横断歩道の鉛直面照度が当該横断歩道の向かって左側より右側が高くなるように前記照明器具により照明させ、前記前照灯の点灯状態を検知していない場合に、当該横断歩道の左右両側の前記鉛直面照度を略等しくなるように前記照明器具により照明させることを特徴とする。
【００２８】
請求項６の発明によれば、停止車両の前照灯の点灯状態に連動することで、無駄な電力を使うことなく、交差点内の右折車両や左折車両からの横断者の見え方を向上するができる。
【発明の効果】
【００２９】
本発明は、前照灯を点灯している停止車両が存在する場合においても、横断歩道に侵入しようとする左折車両や右折車両から横断歩道上の横断者の体の向きや挙動を把握することができ、左折車両や右折車両と横断者との交通事故の発生を防止する効果がある。
【発明を実施するための最良の形態】
【００３０】
以下本発明を実施形態により説明する。
（実施形態１）
本実施形態の照明システムは図１（ａ）に示すように二つの道路が十字状に交差する交差点Ｘの４つの隅部に照明器具１を設置する点は従来例の装置と変わらないが、各照明器具１は近傍の両側の横断歩道Ｈ、Ｈを図示する照射範囲Ａで照射する機能を有する。そして夫々の照明器具１は、交差点Ｘの中央から横断歩道Ｈを見た当該横断歩道Ｈ上の鉛直面照度が、交差点Ｘの中央から見て当該横断歩道Ｈに向かって左側よりも右側の方が高くなるにように照明する機能部３として図１（ｂ）に示すような左右非対称な配光となるように形成された反射板２を図１（ｃ）に示すように備えている。尚図１（ｃ）に示す照明器具１は筐体６内に反射板２及びランプ４とからなる照明部３を内蔵し、筐体２の下面開口に嵌めたガラス板５を介してランプ４の直接光及び反射板２で反射されたランプ４の光で上述のような鉛直面照度を呈するような配光により路面を照射するようになっている。尚図１（ｃ）は照明器具１の側断面図であって、ランプ４は直管が使用され、ランプ４が放電ランプの場合には対応する点灯装置を照明部３に備えているものとする。
【００３１】
而して本実施形態では交差点Ｘの中央から或る横断歩道Ｈを見たときの当該横断歩道Ｈ上の鉛直面照度が交差点Ｘの中央から見て当該横断歩道Ｈに向かって同方向行きの車線側、つまり左側よりも、対向する側の車線側、つまり右側の方が高くなり、前照灯を点灯した車両が横断歩道Ｈの近傍の停止線Ｌ前に停止していても、照明器具１により歩行者Ｍが明るく照明され、横断歩道Ｈ上の歩行者や自転車の搭乗者の横断者（以下歩行者と称する）Ｍの体の向きや挙動を交差点Ｘで右折又は左折しようとする運転者から容易に視認することができ、そのため右折車両或いは左折車両と歩行者Ｍとの交通事故を防止することができることになる。
【００３２】
つまり上述したように横断歩道Ｈ上の歩行者Ｍを運転者に見せる場合は、単に存在を知らせるだけではなく歩行者Ｍの体の向きや挙動を知らせる必要がある。そのためには、歩行者Ｍそのものが周囲と比較して明るく見えなければならない。そこで、歩行者Ｍが横断しようとする横断歩道Ｈに図に於いて向かって右側に前照灯を点灯した車両が存在しても、車両が存在しない左側と横断歩道Ｈの歩行者Ｍの“ブライトネス（人が対象物に対して感じる明るさ）”を同じにする（差をなくする）ことで、横断歩道Ｈ上の歩行者Ｍの体の向きや挙動を右折若しくは左折しようとする車両の運転者から視認することができることになる。
（実施形態２）
本実施形態では上述した交差点Ｘの中央から見て一つの横断歩道Ｈに向かって左側の鉛直面照度に対して右側の鉛直面照度を高くするに当たって、左側の鉛直照度と右側の鉛直照度の比を略１：１．１以上なるように照明器具１を構成した点に特徴がある。
【００３３】
ここで図１（ａ）の交差点Ｘの中央から一つの横断歩道Ｈを見たときに向かって左側の鉛直面照度と右側の鉛直面照度の比を略１：１．１以上と算出したプロセスを示す。
【００３４】
まずブライトネスＢは、以下の式で算出される。
【００３５】
Ｂ＝１．２（Ｌｏ０．４−３ΔＬｍｉｎ０．７）
ΔＬｍｉｎ＝ΔＬｍｉｎ１（Ｌｂ）＋ΔＬｍｉｎ２（Ｌｂ＋Ｌｅｑ）
但し、Ｌ０：歩行者Ｍの輝度、ΔＬｍｉｎ：輝度差弁別閾、Ｌｂ：背景輝度、Ｌｅｑ：等価光幕輝度を示す。
【００３６】
上記式に交差点Ｘにおける照明での歩行者Ｍの必要な明るさであるブライトネス７（やや明るい）を得るための歩行者輝度Ｌ０を算出したところ、次のような結果を得た。
【００３７】
Ｌｂ＝１．０ｃｄ／ｍ２、前照灯が存在する場合のＬｅｑ＝０．１ｃｄ／ｍ２、前照灯が存在しない場合のＬｅｑ＝２．１ｃｄ／ｍ２
この結果から前照灯が存在しない場合にブライトネス７を得るための歩行者輝度Ｌ０は約１００ｃｄ／ｍ２必要であるのに対し、前照灯が存在する場合にブライトネス７を得るための歩行者輝度Ｌ０は約１０９．９ｃｄ／ｍ２必要であることが算出できた。ここで、歩行者輝度Ｌ０と鉛直面照度は比例するものとする。
【００３８】
以上から、前照灯が存在しない場合の鉛直面照度と存在する場合の鉛直面照度の比は略１：１．１であり、そのため前照灯を点灯した停止車両が存在しない位置である交差点Ｘの中央から横断歩道Ｈを見たときに向かって左側の鉛直面照度と、前照灯を点灯した停止車両が存在し易い右側の鉛直面照度の比を略１：１．１以上にすべきことが判った。
【００３９】
このようにすることで、更に最適な照度比で歩行者Ｍが照射され、歩行者Ｍの視認性が向上するのである。また、横断歩道上の歩行者の見え方を確保するための余計な光量がいらなくなるため、省エネが実現できる。
（実施形態３）
ところで図２（ａ）に示すような照明の場合、停止線Ｌで停止している車両Ｃ１の運転者が照明器具１の照明を眩しく不快に感じる可能性がある。そこで、停止車両Ｃ１の運転者が眩しさを感じるのを回避するため、本実施形態では、停止車両Ｃ１側の鉛直面照度を、余計な光が出ておらず眩しさを感じることがない対向車線側の鉛直面照度の値まで制限するように配光（或いは光出力又はその両者）を設定する機能部を照明器具１に機能を備えた点に特徴がある。
【００４０】
つまり図２（ｂ）に示すように横断歩道Ｈの手前近傍にある停止線Ｌ上から横断歩道Ｈ側を見た停止線Ｌ上の鉛直面照度と、隣接する対向車線側へ停止線Ｌを延長した位置Ｌ’から当該横断歩道Ｈを見た鉛直面照度が略等しくなるような配光を作り出すように各照明器具１の反射板２にその機能を持たせた。図２（ｃ）はポールＰの上端部に設けた照明器具１からの照射範囲Ａと歩行者Ｍ、停止車両Ｃ１及び運転者Ｄの関係を示す。
【００４１】
而して本実施形態では、交差点Ｘ内の右折車両Ｃ２や左折車両からの歩行者Ｍの見え方を低下させることなく、停止車両Ｃ１の運転者Ｄの眩しさを低減することができ、運転者Ｄの快適性が向上する。また、横断歩道Ｈ上の歩行者Ｍの見え方を確保するための余計な光量がいらなくなるため、省エネが実現できる。
（実施形態４）
ところで歩行者Ｍが存在する場合には上述の実施形態１（〜３）述べたような照明が必要であるが、歩行者Ｍが存在しない場合においても同様な照明を行うことはエネルギの無駄になる。この点に鑑み歩行者Ｍの存在しているときのみ上述のような照明を行うようにしたものが本実施形態である。
【００４２】
つまり本実施形態では図３（ａ）に示すようにポールＰの上端部に取り付けた照明器具１に横断歩道Ｈ及びその近傍範囲を検知エリアＹとする人体検知センサ部１０を設け、横断歩道Ｈ上及びその近傍に歩行者Ｍが存在するか否かを人体検知センサ部１０で検知し、歩行者Ｍが存在するときには実施形態１（〜３）のような照明を行うように照明器具１の照明部３の配光や光出力を図３（ｂ）で示す制御部１１で制御し、歩行者Ｍが存在しない場合には、横断歩道Ｈ上の鉛直面照度の左右の比率を略等しくするように照明部３の照明の配光や光出力を制御部１１で制御するようにしたものである。
【００４３】
尚人体検知方法としては赤外線による検知方法、音波による検知方法、画像処理を用いて各時間での画像の変化状況から歩行者Ｍの存在を推測する方法などによる複数の方法があるが、本実施形態の人体検知センサ部１０としては何れの方法を採用したものであっても良い。
【００４４】
また図４（ａ）に示すように照明器具１の筐体６内に設ける照明部３としては、例えば横断歩道Ｈ側を積極的に照射する光出力の大きなランプ４ａと光出力が小さく消費電力も少ない補助的なランプ４ｂとを設けるとともに各ランプ４ａ，４ｂに対応した反射面を有して各ランプ４ａ，４ｂに対応した配光が行える反射板２０とからなる照明部３を照明器具１に備えている。
【００４５】
而して本実施形態では人体検知センサ部１０が歩行者Ｍを検知しているときには制御部１１の制御の下でランプ４ａを点灯させるとともに反射板２０の対応する反射面によって実施形態１（〜３）で説明した配光Ｉを図３（ａ）に示すように得、一方歩行者Ｍを検知していないときにはランプ４ｂを制御部４で点灯制御することで横断歩道Ｈ上の鉛直面照度の左右の比率を略等しくする配光IIを図３（ａ）に示すように得て、歩行者Ｍが存在したないときの電力消費を抑えるようにしている。
【００４６】
尚図４（ｂ）に示すようにウインチのような駆動部１２により動かされて変位する可動反射板２１を照明部３に設け、人体検知センサ部１０が人体を検知している場合には人体検知センサ部１０の検知信号を受けた制御部１１が駆動部１２を制御して可動反射板２１を実線で示す位置に動かして、上述のような配光Ｉを得、人体検知センサ部１０が人体を検知していない場合には制御部１１が駆動部１２を制御して可動反射板２１を破線で示す位置に移動させ横断歩道Ｈ上の鉛直面照度の左右の比率を略等しくなるように照明する配光IIに変更するようにしても良い。この場合は同じランプ４を使用しているため電力消費は人の存否にかかわらず、同じである。
【００４７】
而して本実施形態では、歩行者Ｍが横断歩道Ｈ上やその近傍に存在する場合に、歩行者Ｍの存在を照明の変化から走行する車両の運転者に推測させることが可能となり、歩行者Ｍに対する注意レベルを向上させることが期待できる。
（実施形態５）
実施形態４は歩行者Ｍの存否を人体検知センサ部で検知して、上述のように照明器具１の照明部３の配光や光出力を制御するものであったが、本実施形態では、図５（ａ）に示すように人体検知センサ部の代わりに横断歩道Ｈ近傍に歩行者Ｍの存在を知らせる発信器（例えば押しボタンなど）１４を配置し、これによって歩行者Ｍ自身が存在を制御部１１へ知らせるようにしたものである。図６（ｂ）は本実施形態の回路構成図である。
【００４８】
尚照明部３での光出力や配光の制御のための構成及び発信信号を受ける制御部１１が照明部３に対して行う制御動作は実施形態４と同じであるので、ここでは説明を省略する。
【００４９】
而して本実施形態でも、図５（ａ）に示すように発信器１４からの発信信号があると、歩行者Ｍが横断歩道Ｈ上又はその近傍に存在すると判断した制御部１１が実施形態４と同様に照明部３を制御して配光Ｉを設定し、また発信信号が入力しない場合には制御部１１は照明得３を制御して配光IIを設定する。これにより実施形態４と同様に走行する車両の運転者に歩行者Ｍの存在を照明の変化から推測させることが可能となり、歩行者Ｍに対する注意レベルを向上させることが期待できる。尚図５（ａ）に示す配光Ｉ，IIは実施形態４の図３（ａ）に示す配光Ｉ,IIと同じ配光である。
（実施形態６）
ところで前照灯を点灯した停止車両が存在している場合には、実施形態１（〜３）などと同様な照明を行う必要があるが、停止車両が存在しなかったり、停止車両が前照灯を消灯している場合は、歩行者Ｍが停止車両の前照灯の光で見にくくなるということはないので、本実施形態では前照灯を点灯した停止車両が存在しているときのみ、歩行者Ｍが停止車両の前照灯の光で見にくくならない照明を行い、無駄な電力消費を無くすようにしたものである。
【００５０】
つまり、本実施形態では、図６（ａ）に示すように車両の前照灯の設置高さ付近で且つ受光面が停止線方向に向くようにポールに取り付けられて停止車両の前照灯の光を検知し易くした受光素子からなる前照灯光出力検知部１５と、図に示すように前照灯光出力検知部１５の検知信号により照明部の光出力・配光を制御する制御部１１を備えている。照明部３は実施形態４に示したように光出力・配光を変更できる機能部を備えたものを用いる。図６（ｂ）は本実施形態の回路構成を示す。
【００５１】
而して図６（ａ）に示すように前照灯光出力検知部１４が横断歩道Ｈ付近の停止線付近で停止している車両の前照灯の光出力（点灯状態）を検知すると、制御部１１は照明部３を制御して実施形態４や５と同様に配光Ｉを設定し、また前照灯が存在しない又は消灯されている場合のように前照灯の光出力（点灯状態）が検知されない場合には、制御部１１は照明部３を制御して横断歩道Ｈ上の鉛直面照度の左右の比率を略等しくする配光IIを設定する。尚図６（ａ）で示す配光Ｉ,IIは図３（ａ）の配光Ｉ，IIと同じである。
【００５２】
このように本実施形態では前照灯の点灯の有無によって照明部３の配光を制御することで、無駄な電力を使うことなく、交差点Ｘ内の右折車両や左折車両からの歩行者Ｍの見え方を向上させることができる。
（実施形態７）
上記実施形態６では車両側に前照灯の点灯状態をポールに設けた前照灯光検知部１５で検知することで、照明器具の照明部を制御するようにしていたが、本実施形態は図７（ａ）に示すように車両Ｃ１側に前照灯の点灯状態を示す信号外部へ電波ような無線信号で発信する発信部１７を備え、一方照明器具１の近傍、例えばポールに発信部１７の発信信号を受信する受信部１６を設置し、照明器具１に発信部からの信号を受けた受信部からの受信信号に基づいて照明部３の配光（光出力）を実施形態４と同様に制御する制御部１１を図７（ｂ）に示すよう設けている点に特徴があり、照明部３には実施形態４で用いた照明部３と同じ構成のものを使用する。
【００５３】
而して本実施形態では、前照灯の光を受光することで点灯を検知する前照灯光出力検知部１５を用いた実施形態６に比して、正確に前照灯の点灯状態を検知することが可能になり、歩行者の見え方を精度良く向上させることができる。尚発信部１７の発信信号を受信部１６で受信して配光制御が行われる照明器具１は停止車両の位置に対応したものとなるように受信部１６の受信エリア、発信信号の強度等を設定しているのは勿論である。
【００５４】
尚本発明は、車両が左側通行以外に右側通行以外にも適用でき、この場合交差点の中央から見たときに当該横断歩道の鉛直面照度が、当該横断歩道の向かって右側より左側が高くなるように前記照明器具により照明させる機能部を備えれば良い。
【図面の簡単な説明】
【００５５】
【図１】実施形態１を示すもので、（ａ）は照明器具の配置と照明範囲との関係を示すシステム構成図、（ｂ）は使用照明器具の配光例図、（ｃ）は使用照明器具の概略構成を示す側断面図である。
【図２】実施形態３を示すもので、（ａ）は課題説明図、（ｂ）は照明器具の照明範囲の例図、（ｃ）は照明器具の配光と歩行者と停止車両の運転者の関係説明図である。
【図３】実施形態４を示すもので、（ａ）は照明器具の配光設定の説明図、（ｂ）は回路構成図である。
【図４】（ａ）は実施形態４に用いる照明器具の概略構成を示す横断面図。（ｂ）は実施形態４に用いる照明器具の別の例の概略構成を示す横断面図である。
【図５】実施形態５を示すもので、（ａ）は照明器具の配光設定の説明図、（ｂ）は回路構成図である。
【図６】実施形態６を示すもので、（ａ）は照明器具の配光設定の説明図、（ｂ）は回路構成図である。
【図７】実施形態７を示すもので、（ａ）は構成説明図、（ｂ）は回路構成図である。
【図８】（ａ）は従来例の照明器具の配置例図、（ｂ）は別の従来例の照明器具の配置例図である。
【図９】他の従来例を示すもので、（ａ）は照明器具の配置例図、（ｂ）は課題説明図である。
【図１０】他の従来例での交通事故発生例の説明図である。
【符号の説明】
【００５６】
１  照明器具
２  反射板
３  照明部
４  ランプ
５  ガラス板
６  筐体
Ｘ  交差点
Ａ  照明範囲
Ｈ  横断歩道
Ｍ  歩行者
Ｌ  停止線
【図１】
2006190624.tif 000003
【図２】
2006190624.tif 000004
【図３】
2006190624.tif 000005
【図４】
2006190624.tif 000006
【図５】
2006190624.tif 000007
【図６】
2006190624.tif 000008
【図７】
2006190624.tif 000009
【図８】
2006190624.tif 000010
【図９】
2006190624.tif 000011
【図１０】
2006190624.tif 000012